(57)【特許請求の範囲】
【請求項１】
直交周波数分割多重方式で伝送され、かつ、時間インターリーブ処理を施されて伝送される信号を受信するデジタル信号受信装置であって、
受信信号を高速フーリエ変換処理するための高速フーリエ変換処理手段と、
前記高速フーリエ変換処理手段の出力に基づいて、変調方式に応じて、対応するコンスタレーション上の基準点を示す第１のデータと前記対応する基準点からのずれを示す第２のデータとを有するプレデマッピングデータを生成するプレデマッピング処理手段と、
前記プレデマッピングデータごとに受信信号の信頼性を判定した信頼性情報を付加する信頼性検出手段と、
前記プレデマッピングデータおよび前記信頼性情報に基づいて、前記信頼性情報に応じて前記ずれの量を示す前記第２のデータを補正して、前記プレデマッピングデータ内に前記信頼性情報の少なくとも一部を含ませるデータ変換処理を行う補正手段と、
前記補正手段の出力に基づいて、前記時間インターリーブ処理の逆変換である時間デインターリーブ処理を行なう時間デインターリーブ処理手段と、
前記時間デインターリーブ処理手段の出力に基づいて、最尤復号処理により誤り訂正を行なう復号処理手段とを備える、デジタル信号受信装置。
【請求項２】
前記補正手段は、前記信頼性情報に応じて前記ずれの量を示す前記第２のデータを補正した補正点が、前記第１のデータの示す基準点よりも、隣接する他の基準点に近づいた場合は、前記信頼性情報の代わりに、前記プレデマッピングデータを前記最尤復号処理の対象としないことを示す消失判定情報を前記プレデマッピングデータに付加する信頼性補正処理手段を含む、請求項１記載のデジタル信号受信装置。
【請求項３】
前記第２のデータは、ずれの大きさを示すずれ量データとずれの方向を示す方向データとを含み、
前記信頼性補正処理手段は、前記方向データの示す方向に、前記信頼性情報に応じて前記ずれ量データを変更する、請求項２記載のデジタル信号受信装置。
【請求項４】
前記補正手段は、前記ずれ量データが０であって補正するべきずれの方向が不定となっているか否かに応じて、前記方向データの値を変更する補正例外処理手段をさらに含む、請求項３記載のデジタル信号受信装置。
【請求項５】
前記補正例外処理手段は、少なくとも前記ずれ量データが０であって補正するべきずれの方向が不定となった場合、前記信頼性情報に代えて、前記信頼性情報に基づく補正量の大きさを表す補正信頼性情報を前記プレデマッピングデータに付加する、請求項４記載のデジタル信号受信装置。
【請求項６】
前記第２のデータは、ずれの大きさを示すずれ量データとずれの方向を示す方向データとを含み、
前記補正手段は、前記ずれ量データが０であって、補正するべきずれの方向が不定となる場合に前記補正処理を行わず、入力された前記プレデマッピングデータについては、そのまま出力する、請求項１記載のデジタル信号受信装置。
【請求項７】
前記補正手段は、前記プレデマッピングデータを、前記コンスタレーション上の基準点および前記基準点から所定量ずつずれた点とにそれぞれ割当てられた複数の番号により表現されるデータに変換するデータ変換手段を含む、請求項１記載のデジタル信号受信装置。
【請求項８】
前記データ変換手段は、前記信頼性情報に応じて前記ずれの量を示す前記第２のデータを補正した補正点が、前記第１のデータの示す基準点よりも、隣接する他の基準点に近づいた場合に、前記プレデマッピングデータを前記最尤復号処理の対象としないことを示すために、前記プレデマッピングデータを前記複数の番号のうちの所定の番号に変換する、請求項７記載のデジタル信号受信装置。
【発明の詳細な説明】
【０００１】
【発明の属する技術分野】
本発明は、地上波デジタル放送などで用いられるＯＦＤＭ（直交周波数分割多重）方式で変調された信号を受けて、復調するためのデジタル信号受信装置の構成に関する。
【０００２】
【従来の技術】
近年、映像信号または音声信号を伝送するシステムのために、高品質な伝送や周波数利用効率の向上に優れた変調方式として、ＯＦＤＭ（直交周波数分割多重、Orthogonal Frequency Division Multiplexing）方式が提案されている。
【０００３】
ＯＦＤＭ方式は、１チャンネルの帯域内に多数のサブキャリアを立てる変調方式である。このため、ゴーストに強く、かつ、誤り訂正のためのデータ構成に工夫をすることで選択性フェージングにも耐性をもたせることができるため、地上波デジタルテレビジョン放送等において有効な変調方式である。
【０００４】
ＯＦＤＭ方式の送信では以下の処理を行なう。まず、たとえばテレビジョン信号等のアナログ信号をデジタル信号に変換し、ＭＰＥＧ（Moving Picture Experts Group）方式で圧縮する。続いて、このデータ信号に、ノイズ等の伝送路におけるエラーの発生原因を分散させるために、バイトインターリーブおよびビットインターリーブの処理を施し、ＱＰＳＫ（Quadrature Phase Shift Keying）、１６ＱＡＭ（Quadrature Amplitude Modulation）、６４ＱＡＭ等の変調方式に応じたマッピングを行なう。さらに、フェージング、信号の欠落等の伝送路におけるエラー発生原因を分散させるために、時間インターリーブおよび周波数インターリーブの処理を施し、ＩＦＦＴ（逆高速フーリエ変換）を行なって、直交変調後、ＲＦ周波数に周波数変換して送出する。
【０００５】
図２２は、地上波デジタル放送受信機で受信するＯＦＤＭ方式のデータの構造を説明するための概念図である。
【０００６】
１つのＯＦＤＭフレームは、図２２に示すように、２０４個のＯＦＤＭシンボルで構成される。ＯＦＤＭシンボルは有効データ区間と無効データ区間（ガードインターバル、ヌルキャリア）で構成されている。
【０００７】
図２３は、図２２に示したＯＦＤＭシンボルの構成を示す図である。
１つのＯＦＤＭシンボル内の有効データ区間は、データのグループ（データセグメント）にパイロット信号を付加したＯＦＤＭセグメントを１３個配置した構成をとる。
【０００８】
地上波デジタル放送の仕様では、１３個のセグメントを最大３つの階層に分割し、階層ごとに変調方式を指定することが可能である。
【０００９】
図２４は、１ＯＦＤＭセグメントの構成をより詳しく説明するための図である。
【００１０】
１つのＯＦＤＭセグメントは、図２４に示すように、０番目から（ｎ−１）番目までのｎ個のキャリアからなる。
【００１１】
図２５は、１つのＯＦＤＭセグメントの構成のモード依存性を説明するための図である。
【００１２】
図２５を参照して、１ＯＦＤＭセグメントを構成するデータ信号のキャリア数、パイロット信号のキャリア数等は、モードごとに決まっており、このキャリア数の合計がｎ個となるように設定されている。
【００１３】
ＯＦＤＭ方式の変調には、ＤＱＰＳＫ（Differential QPSK）、ＱＰＳＫ、１６ＱＡＭ、６４ＱＡＭの４種類があり、それぞれマッピングの方法が異なる。また、ＤＱＰＳＫ方式は差動変調方式、その他は同期変調方式と呼ばれる。差動変調方式と同期変調方式では、ＯＦＤＭセグメントのデータ信号内に挿入するパイロット信号の種類や配置位置が異なるが、１ＯＦＤＭセグメント内に含まれるパイロット信号の合計数は図２５に示すように規定されている。
【００１４】
【発明が解決しようとする課題】
ＯＦＤＭ方式で変調されたデータ信号は、送信と全く逆の手順の処理で復調される。
【００１５】
図２６は、従来のＯＦＤＭ方式の受信装置８０００の構成を示す概略ブロック図である。
【００１６】
図２６を参照して、チューナ１１は、アンテナ（図示せず）でとらえられた高周波信号入力（ＲＦ信号入力）を与えられ、指定されたチャネルの周波数をダウンコンバートして、ベースバンド信号とする。アナログ／デジタル変換回路１２は、アナログ信号をデジタル信号に変換するとともにヒルベルト変換等を用いて、実軸（以下、「Ｉ軸」と呼ぶ）成分の信号（同相検波軸信号）と、虚軸（以下、「Ｑ軸」と呼ぶ）成分の信号（直交検波軸信号）とを生成する。アナログ／デジタル変換回路１２からのＩ軸信号とＱ軸信号とは、同期部１３において同期処理が行われ、高速フーリエ変換部（以下、「ＦＦＴ部」と呼ぶ）１４に出力される。
【００１７】
ＦＦＴ部１４では、入力信号に対して高速フーリエ変換を行ない、時間軸データを周波数軸データに変換する。復調部１５は、ＦＦＴ部１４からの出力に対して復調処理を行って、周波数デインタリーブ部１６に出力する。
【００１８】
周波数デインターリーブ回路１６は、電波の反射等による特定周波数信号の欠落を補うために行なわれた周波数インターリーブの逆処理を行なう。時間デインターリーブ回路１７は、耐フェージングのために行なわれた時間インターリーブの逆処理を行なう。
【００１９】
デマッピング回路１８は、時間デインターリーブ後のデータをＩ軸データおよびＱ軸データからデマッピングして、２ビット（ＱＰＳＫ）、４ビット（１６ＱＡＭ）または６ビット（６４ＱＡＭ）のデータとする。ビットデインターリーブ回路１９は、誤り耐性を増すために行なわれたビットインターリーブの逆処理を行なう。ビタビ復号回路２０は、バイトインターリーブとビットインターリーブの間に行なわれた畳込みの逆処理を行ないつつ、誤りを訂正する。バイトデインターリーブ回路２１は、ビットインターリーブと同様に誤り耐性を増すために行なわれたバイトインターリーブの逆処理を行なう。エネルギー逆拡散部２２で逆拡散処理が行われたデータに対して、ＲＳ（リードソロモン）復号回路２３は、バイトインターリーブの前に行なわれたＲＳ符号化の逆処理を行ないつつ、誤りを訂正する。
【００２０】
ＭＰＥＧデコード回路２４は、ＭＰＥＧ方式による圧縮の逆処理を行なって、データを伸長し、デジタル／アナログ変換回路２５は、デジタル信号をアナログ信号に変換する。こうして、ＯＦＤＭ方式で変調される前の映像信号および音声信号が再生され、映像や音声の再現のために出力される。
【００２１】
以上説明したように、ＯＦＤＭ方式ではインターリーブが多用されている。
デインターリーブを行なうためにはデータを一時的に記憶しておく必要があり、そのために、周波数デインターリーブ回路１６、時間デインターリーブ回路１７、ビットデインターリーブ回路１９およびバイトデインターリーブ回路２１はそれぞれメモリを備えている。ところが、４種のインターリーブのうち周波数インターリーブと時間インターリーブが対象とするデータの量は極めて大きく、これらのデインターリーブには大容量のメモリが必要である。
【００２２】
たとえば、我が国の地上デジタル放送のための電気通信技術審議会からの「地上デジタルテレビジョン放送方式の技術的条件」についての答申によると、時間デインターリーブは、メモリを使ってシンボル内の各キャリアをシンボル遅延することによって行われる。シンボル遅延量はモードと階層ごとに与えられた時間インターリーブ長とセグメント内でのキャリア位置によって決まる。１セグメントあたりの時間デインターリーブには、７２，９６０ワードのメモリが必要であり、１３のセグメントに対しては９４８，４８０ワードのメモリが必要である。
【００２３】
しかも、図２６に示した構成では、Ｉ軸データおよびＱ軸データの双方に時間デインターリーブを行なうから、ワード数はその倍になり、各データを９ビットとすると、時間デインターリーブ回路１５が備えるべきメモリの容量は約１７Ｍビットとなる。これと同様に、周波数デインターリーブ回路１４も大容量のメモリを必要とする。
【００２４】
周波数インターリーブおよび時間インターリーブは、伝送路におけるエラー発生原因を分散させて高品質の伝送を確保するという大きな効果をもたらすものである。しかしながら、デインターリーブのために必要なメモリの容量が大きいことは、受信機の回路構成を著しく大規模化する結果となり、製造効率の向上、コスト低減の障害となる。
【００２５】
したがって、地上波デジタル放送等のようにＯＦＤＭ方式を用いて伝送される信号を受信するためのデジタル信号受信装置では、このようなインターリーブ処理に必要とされるメモリ容量を削減することが必要である。
【００２６】
この発明は、上記のような問題点を解決するためになされたものであって、その目的は、直交周波数分割多重方式で伝送される信号に対して行なわれていたインタリーブ処理を解除するためのデインタリーブ処理に必要とされるメモリ容量を削減することが可能なデジタル信号受信装置を提供することである。
【００２７】
【課題を解決するための手段】
請求項１記載のデジタル信号受信装置は、直交周波数分割多重方式で伝送されかつ、時間インターリーブ処理を施されて伝送される信号を受信するデジタル信号受信装置であって、受信信号を高速フーリエ変換処理するための高速フーリエ変換処理手段と、高速フーリエ変換処理手段の出力に基づいて、変調方式に応じて、対応するコンスタレーション上の基準点を示す第１のデータと対応する基準点からのずれを示す第２のデータとを有するプレデマッピングデータを生成するプレデマッピング処理手段と、プレデマッピングデータごとに受信信号の信頼性を判定した信頼性情報を付加する信頼性検出手段と、プレデマッピングデータおよび信頼性情報に基づいて、信頼性情報に応じてずれの量を示す第２のデータを補正して、プレデマッピングデータ内に信頼性情報の少なくとも一部を含ませるデータ変換処理を行う補正手段と、補正手段の出力に基づいて、時間インターリーブ処理の逆変換である時間デインターリーブ処理を行なう時間デインターリーブ処理手段と、時間デインターリーブ処理手段の出力に基づいて、最尤復号処理により誤り訂正を行なう復号処理手段とを備える。
【００２８】
請求項２記載のデジタル信号受信装置は、請求項１記載のデジタル信号受信装置の構成に加えて、補正手段は、信頼性情報に応じてずれの量を示す第２のデータを補正した補正点が、第１のデータの示す基準点よりも、隣接する他の基準点に近づいた場合は、信頼性情報の代わりに、プレデマッピングデータを最尤復号処理の対象としないことを示す消失判定情報をプレデマッピングデータに付加する信頼性補正処理手段を含む。
【００２９】
請求項３記載のデジタル信号受信装置は、請求項２記載のデジタル信号受信装置の構成に加えて、第２のデータは、ずれの大きさを示すずれ量データとずれの方向を示す方向データとを含み、信頼性補正処理手段は、方向データの示す方向に、信頼性情報に応じてずれ量データを変更する。
【００３０】
請求項４記載のデジタル信号受信装置は、請求項３記載のデジタル信号受信装置の構成に加えて、補正手段は、ずれ量データが０であって補正するべきずれの方向が不定となっているか否かに応じて、方向データの値を変更する補正例外処理手段をさらに含む。
【００３１】
請求項５記載のデジタル信号受信装置は、請求項４記載のデジタル信号受信装置の構成に加えて、補正例外処理手段は、少なくともずれ量データが０であって補正するべきずれの方向が不定となった場合、信頼性情報に代えて、信頼性情報に基づく補正量の大きさを表す補正信頼性情報をプレデマッピングデータに付加する。
【００３２】
請求項６記載のデジタル信号受信装置は、請求項１記載のデジタル信号受信装置の構成に加えて、第２のデータは、ずれの大きさを示すずれ量データとずれの方向を示す方向データとを含み、補正手段は、ずれ量データが０であって、補正するべきずれの方向が不定となる場合に補正処理を行わず、入力されたプレデマッピングデータについては、そのまま出力する。
【００３３】
請求項７記載のデジタル信号受信装置は、請求項１記載のデジタル信号受信装置の構成に加えて、補正手段は、プレデマッピングデータを、コンスタレーション上の基準点および基準点から所定量ずつずれた点とにそれぞれ割当てられた複数の番号により表現されるデータに変換するデータ変換手段を含む。
【００３４】
請求項８記載のデジタル信号受信装置は、請求項７記載のデジタル信号受信装置の構成に加えて、データ変換手段は、信頼性情報に応じてずれの量を示す第２のデータを補正した補正点が、第１のデータの示す基準点よりも、隣接する他の基準点に近づいた場合に、プレデマッピングデータを最尤復号処理の対象としないことを示すために、プレデマッピングデータを複数の番号のうちの所定の番号に変換する。
【００３５】
【発明の実施の形態】
［プレデマッピング回路を備えたデジタル信号受信装置の構成］
図１は、受信波からベースバンド信号を再生するに当たり、「プレデマッピング処理」を行なうデジタル信号受信装置１０００の構成を説明するための概略ブロック図である。
【００３６】
以下に説明するとおり、プレデマッピング処理を行なうことにより、データ信号の情報量を減殺させずに、時間デインタリーブ処理の対象となるデータのビット幅を減らすことができ、これにより、時間デインタリーブ処理に必要となるメモリの必要量を大幅に減少させることができる。
【００３７】
なお、図１において、図２６に示したデジタル信号受信装置８０００の構成と同一部分には同一符号を付してその説明は繰返さない。
【００３８】
図１を参照して、デジタル信号受信装置１０００の行う処理のうち、アンテナ（図示せず）からの信号をチューナー１１が受け取ってから、復調部１５での復調処理が行われるまでの各処理は、図２６に示したデジタル信号受信装置８０００の処理と同様である。
【００３９】
デジタル信号受信装置１０００においては、周波数デインタリーブ回路１６で、パイロット信号の平均値Ａにより、変調方式に応じたデマッピングの基準値を算出しておく。
【００４０】
図２は、ＯＦＤＭフレーム内のＳＰ信号の分布の例を示す図である。
図３は、周波数デインタリーブ回路１６でのデマッピング基準値の算出手続を説明するための図である。
【００４１】
ＯＦＤＭフレーム内には、図２に示したとおり、パイロット信号ＳＰがたとえば、１２キャリアに１回、４シンボルに１回挿入される構成となっている。
【００４２】
デマッピング基準値は、このようなパイロット信号の平均値をデータ信号のレベルに変換し、図３に示すように各変調方式毎に定められた基準値算出のための係数を掛けることによって求められる。
【００４３】
パイロット信号ＳＰは、変調側で、データ信号に比べて４／３倍されており、パイロット平均値をデータ信号のレベルに変換するために、パイロット信号を３／４倍する。また、各変調方式の最小の基準値は、ＤＱＰＳＫ、ＱＰＳＫならレベル変換後のパイロット信号の１／√２倍、１６ＱＡＭならレベル変換後のパイロット信号の１／√１０倍、６４ＱＡＭならレベル変換後のパイロット信号の１／√４２倍でそれぞれ求められる。すなわち、デマッピングの基準値は、パイロット平均値の定数倍で求められることになる。
【００４４】
図１に戻って、プレデマッピング回路２６では、各キャリアごとに入力のＩ軸データ、Ｑ軸データが、各変調方式のコンスタレーション上のどの基準値に最も近いかを求め、その基準値の示す最大６ビットのビットデータをまず求める。
【００４５】
図４は、このようなプレデマッピングの手続を説明するための概念図である。図４においては、６４ＱＡＭの場合を示している。図４においては、Ｉ軸方向、横軸方向の双方についてグレー（ＧＲＡＹ）コードが割当てられている。
【００４６】
たとえば、図４において、白丸は、６４ＱＡＭの基準値であり、黒丸が、受信データであるものとする。このとき、黒丸は、Ｉ軸方向については、“０１１”の基準点に最も近く、Ｑ軸方向についても“０１１”で表わされる基準点に最も近い。したがって、この場合黒丸は、このＩ軸とＱ軸のグレーコードを交互に並べた値“００１１１１”の６ビットのデータで表わされる基準点に最も近いことになる。
【００４７】
プレデマッピング回路２６は、さらに、基準点から見たデータまでのＩ軸、Ｑ軸方向それぞれのずれの方向と距離を求め、上述した６ビットのビットデータに付加する。すなわち、方向の情報として１ビットを用意し、基準点から見たデータの方向がプラスならば最上位ビットを１、マイナス方向なら最上位ビットを０とする。距離の情報は、この方向の情報のビットに続く２ビットのデータで表現する。各軸方向でデータを挟む２点の基準点間の距離を７等分したうち、データに最も近い基準点から見て近い方から、ずれの大きさ“０１”，“１０”，“１１”の３つの値で表わす。
【００４８】
図５は、このような基準点から見たデータまでのＩ軸、Ｑ軸方向それぞれのずれの方向と距離を求める手続を説明するための図であり、図４で示した“００１１１１”で示される基準点（斜線の丸）と、黒丸で示される受信信号との関係を拡大して示す図である。
【００４９】
図５に示すとおり、受信信号は、Ｉ軸方向には＋１だけずれており、Ｑ軸方向には＋３だけずれている。これは、それぞれビットデータで表わせばＩ軸方向には“１０１”のずれ量として表現でき、Ｑ軸方向に対しては“１１１”というずれ量であると表現できる。
【００５０】
したがって、図４および図５で説明したような受信信号のプレデマッピングデータとしては、“００１１１１  １０１  １１１”との１２ビットのデータで表現できる。
【００５１】
すなわち、プレデマッピング回路２６に与えられるＩ軸およびＱ軸のデータは、プレデマッピング処理によって、データに最も近い基準点を示す６ビット、基準点から見たＩ軸方向のずれの方向と距離を表わす３ビット、Ｑ軸方向のずれの方向と距離を表わす３ビットの合計１２ビットのビットデータに変換されることになる。
【００５２】
以上のようなプレデマッピング処理を行なうことで、図２６に示した構成では、１８ビットのデータを時間デインタリーブ回路１７において処理することが必要であったのに対し、デジタル信号受信装置１０００では、１２ビットのデータを時間デインタリーブ処理すればよいことになる。
【００５３】
なお、後のビタビ復号において、軟判定処理ではなく、硬判定処理を行なう場合には、上述したようなずれの方向と距離のデータを省略することもできる。ただし、軟判定処理を行なうのであれば、ビタビ復号において、畳込み符号による訂正能力をより高めることができる。
【００５４】
すなわち、ビタビ復号法においては、入力データを“１”または“０”に設定する方法以外に、入力データの値の確からしさまでを含めた情報に基づいて、復号処理を行なうことが可能である。
【００５５】
この場合、１ビットの入力データを３ビットで表わして、３ビットの値が“１１１”のときはデータの値はほぼ確実に“１”であり、“１０１”のときはデータの値は“１”である可能性が高いが、“０”である可能性も多少あるとして誤り訂正を行なうことができる。
【００５６】
プレデマッピング回路２６および時間デインタリーブ回路１７で処理されたデータは、ビット変換回路２７において、このような入力データの値の確からしさを含むデータ形式に変換することができる。
【００５７】
図６は、このようなビット変換処理について説明するための図である。
時間デインタリーブ回路１７から出力されたデータを図６においては白丸で示している。図６中大きな黒丸が基準点を示し、小さな黒丸は、データの確からしさを示すための基準である。
【００５８】
上述したとおり、各基準点にはグレーコードが割当てられているため、白丸のデータに最も近い基準点“００１１１１”に近接する基準点は、いずれもこの“００１１１１”から１ビットのみ、その値の異なる符号が割当てられている。
【００５９】
したがって、図６に示した例では、プレデマッピングにより割当てられたデータ“００１１１１”のうち、上位２ビットの“００”および下位２ビットの“１１”は、そのいずれのビットも確実に“０”であるかまたは“１”であると言えるものである。このため、これらの各ビットデータには、それぞれ、“０００”または“１１１”のいずれかが割当てられる。
【００６０】
これに対して、プレデマッピングにおいて、最も近い基準点に割当てられた“００１１１１”のうち、中位の２ビットの“１１”については、これら２ビットのうちのいずれのビットも確実に“１”とは言えないビットである。このため、Ｉ軸方向のデータに対応する“１”については、図６を参照して、“１１０”が割当てられ、Ｑ軸方向のビットに対応する“１”に対しては、データ“１００”が割当てられる。
【００６１】
この結果、ビット変換回路２７からは、“００１１１１”に対して、“００００００  １１０  １００  １１１  １１１”と変換された１８ビットのデータが出力される。このような１８ビットのデータに対して、ビタビ復号回路２０が軟判定により復号処理を行なうことで、誤り訂正が行なわれる。
【００６２】
［信頼性情報を付加した復号処理を行なうデジタル信号受信装置の構成］
さらに、ＯＦＤＭ方式の復調では、各キャリアの信頼性を検出して、この検出された信頼性情報をビタビ復号による誤り訂正に適用することによって、伝送路でマルチパスが発生したり、同一チャネル妨害が混入したりした場合に、復調後のデータ誤り率の劣化を軽減可能なことが指摘されている。このような指摘については、たとえば、文献１：「地上伝送路特性を考慮した誤り制御」、１９９８年映像情報メディア学会年次大会３−１に記載されている。
【００６３】
そこで、各キャリアの信頼性を検出し、各キャリアに信頼性の高さに関する情報を付加した上でビタビ復号を行なう構成とすれば、より信頼性の高いデータを受信機側で再生することができる。
【００６４】
図７は、復号されるデータに、このような信頼性情報を付加することが可能なデジタル放送受信装置２０００の構成を説明するための概略ブロック図である。
【００６５】
なお、図７においても、図２６に示したデジタル信号受信装置８０００の構成と同一部分には同一符号を付してその説明は繰返さない。
【００６６】
図７を参照して、デジタル信号受信装置２０００においては、ＦＦＴ部１４からの出力を受けて、信頼性検出部２８が、以下に説明するような手続に従って、キャリアに対する信頼性の評価を行ない、そのような信頼性データを復調部１５からの復調信号に付加する。
【００６７】
すなわち、図７に示した構成では、ＦＦＴ処理後のデータ内において、挿入されているパイロット信号のうち、たとえば、周期的に挿入されているＳＰ信号のレベルの分散から信頼度Ｒを求め、この信頼度Ｒに基づいて、信頼性情報信号を算出し、Ｉ軸データおよびＱ軸データに付加して周波数デインタリーブ回路１６に与える。このようなＳＰ信号のレベルの分散から信頼度Ｒを求める手続きについては、上述した文献１に記載があるので、ここでは、簡単に説明する。
【００６８】
信頼度Ｒの求め方の１つの方法としては、上述のとおりＳＰの分散から求める。つまり、受信ＳＰの受信レベルをＩ（ｔ，ｆ）、Ｑ（ｔ，ｆ）としたときの信頼度Ｒを以下の式（１）から求めることにする。
【００６９】
【数１】
0003942392.tif 000002
【００７０】
ただし、Ａはしきい値を含む係数、Ｉｒｅｆ（ｆ）、Ｑｒｅｆ（ｆ）は、受信信号Ｉ（ｔ，ｆ）、Ｑ（ｔ，ｆ）の時間方向の平均値である。式（１）の分子は受信レベルの平均値を示し、受信振幅が大きいほど信頼度Ｒは大きくなる。また、式（１）の分母は分散を示し、妨害が大きいほど信頼度Ｒは小さくなる。
【００７１】
信頼性検出部２８は、シンボル内に周期的に位置しているＳＰ信号に着目し、ＳＰ信号のレベルの平均値を算出し、各ＳＰのレベルと比較してそのＳＰ信号の信頼度を検出する。信頼性検出部２８は、この信頼度Ｒを当該ＳＰ信号の信頼性情報とするとともに、ＳＰ以外のキャリアはそのキャリアに最も近いＳＰ信号の信頼性情報をこのキャリアの信頼性情報とする。このようにして、同期変調の階層内のキャリアすべてに対して信頼性情報を付加する。
【００７２】
図８は、このようにして付加される信頼性情報信号の内容を説明するための図である。
【００７３】
すなわち、信頼性の高さに関する情報は、著しく信頼性が低いキャリアを消失扱いにする消失判定情報が最上位の１ビットに割当てられ、消失扱いとなるほどには信頼性が低くはない場合であっても、軟判定によるビタビ復号の重み付けに対応した信頼の情報としてさらに２ビットが割当てられ、計３ビットのデータを付加する。以下、信頼性情報のうち、データを消失扱いとするかを示すビットデータを「消失判定情報」と呼び、信頼性情報のうち、軟判定によるビタビ復号の重み付けに対応した信頼の情報を「信頼度情報」と呼ぶことにする。
【００７４】
ただし、ここで、重み付けをしないビタビ復号処理を行なう場合などには、消失判定情報の１ビットのみをデータに付加するということも可能である。
【００７５】
したがって、たとえばこの信頼性情報が“１ＸＸ”（Ｘは任意のビットデータ）である場合は、このような信頼性情報が付加されたデータは信頼できないものであるとして、その後の処理においては消失データとして扱われる。
【００７６】
一方、信頼性情報信号が“０１１”である場合は最も信頼できるデータであるものとして扱われ、これに対して、“０００”は、消失データ扱いには至らないものの、最も信頼性が低いデータとして扱われる。
【００７７】
したがって、このような信頼性情報信号をＦＦＴ処理後に復調回路１５によって復調されたＩ軸データおよびＱ軸データに付加することとすれば、ビタビ復号時の誤り訂正能力はより向上する。
【００７８】
しかしながら、プレデマッピング部２６において、１２ビットに変換されたＩ軸データおよびＱ軸データに加えてこのような信頼性情報信号を付加すると、結局、合計１５ビットのデータを時間デインタリーブ処理することが必要となってしまう。
【００７９】
図９は、復号対象となるデータに対して、信頼性情報を付加する他の構成を有するデジタル信号受信装置３０００の構成を説明するための概略ブロック図である。
【００８０】
図９に示したデジタル信号受信装置３０００においては、プレデマッピング部２６から出力されるプレデマッピングデータの基準値からのずれの分散を求め、そのずれのレベルから当該受信データに対する信頼性を評価する。
【００８１】
このようにして評価した結果に対応して、図８に示したデジタル信号受信装置２０００と同様に、３ビットの信頼性情報信号をプレデマッピングデータに付加する。時間デインタリーブ回路１７は、図８の場合と同様にして、１２ビットのプレデマッピングデータに対して、３ビットの信頼性情報信号が付加された入力データに対して時間デインタリーブ処理を行なう。
【００８２】
したがって、図９のような構成においても、図２６に示したようにＩ軸データおよびＱ軸データを個別に時間デインタリーブ処理する場合の１８ビットよりは少ないビット数を処理すればよいものの、信頼性情報を付加することによって、ビット数が増加することになってしまう。
【００８３】
したがって、図７に示したデジタル信号受信装置２０００または図９に示したデジタル信号受信装置３０００において、プレデマッピング処理後のデータ１２ビットに、信頼性検出によって３ビットの信頼性情報信号が付加された計１５ビットのデータを時間デインタリーブ処理することとすると、誤り訂正能力自体は向上できるものの、メモリ量の削減としては十分でない。
【００８４】
［実施の形態１]
［デジタル信号受信装置４０００の構成］
図１０は、本発明の実施の形態１のデジタル信号受信装置４０００の構成を説明するための概略ブロック図である。
【００８５】
デジタル信号受信装置４０００においては、時間デインタリーブ処理の前であって、かつプレデマッピング処理後のデータに対して、信頼性判定の処理に加えて、信頼性の高さに応じたデータの補正処理を行なって、時間デインタリーブ処理の対象となるデータのビット数を、図７に示したデジタル信号受信装置２０００または図９に示したデジタル信号受信装置３０００よりも削減する。
【００８６】
なお、図１０においても、図２６に示したデジタル信号受信装置８０００の構成と同一部分には同一符号を付してその説明は繰返さない。
【００８７】
図１０を参照して、デジタル信号受信装置４０００においては、プレデマッピング回路２６と時間デインタリーブ回路１７の間に、信頼性情報による消失判定とプレデマッピングデータに補正を施す信頼性判定・補正部２９が設けられている。
【００８８】
この信頼性判定・補正部２９において、時間デインタリーブ回路１７に入力されるデータのビット幅を減少させるようなデータ変換を施す。
【００８９】
図１０に示したデジタル信号受信装置４０００は、信頼性判定として、図７に示したデジタル信号受信装置２０００と同様に、ＳＰ信号のレベルに基づいて信頼性判定を行なう構成を示している。
【００９０】
図１０において、図７と同一部分には同一符号を付してその説明は繰返さない。
【００９１】
図１０を参照して、信頼性判定・補正部２９は、プレデマッピングデータとともに入力される信頼性情報が、信頼度情報を含む３ビットのデータであるとき、各キャリア毎に付加された信頼性情報の値を参照して、図８に示した規則に従って、キャリアの信頼性を判定する。
【００９２】
すなわち、まず、信頼性判定・補正部２９は、信頼性情報の最上位ビットにより表現される消失判定情報により、消失判定を行なう。
【００９３】
データの信頼度が消失処理を行なう必要があるほどには低くない場合、信頼度情報の値を参考にして、Ｉ軸方向およびＱ軸方向のずれの値の両方に基づいて、プレデマッピングデータに対して補正をかける。
【００９４】
すなわち、信頼性情報信号が“０１１”である場合は十分に信頼できるデータであるため特に補正は行なわない。
【００９５】
これに対し、信頼性情報信号が“０１０”である場合は、図８に示すとおり、ずれの絶対値が＋１であるものとして補正を行なう。同様に、信頼性情報信号が“００１”である場合は、ずれの絶対値が＋２であるものとして補正を行ない、信頼性情報信号が“０００”である場合は、ずれの絶対値が＋３であるものとして補正を行なう。
【００９６】
この結果、Ｉ軸方向Ｑ軸方向いずれかのずれの絶対値が４以上となってしまった場合は、信頼性が著しく低いものとして改めて消失データ扱いとする。
【００９７】
図１１は、このような信頼性判定・補正部２９が行なう処理をさらに詳しく説明するための図である。
【００９８】
図１１に示した例では、プレデマッピング処理において、受信データに対して最も近い基準点が“００１１１１”と判定されているものとする。
【００９９】
さらに、プレデマッピング処理により、Ｉ方向のずれが＋２であり、Ｑ方向のずれが＋１と判定されているものとする。
【０１００】
したがって、プレデマッピングの結果として、受信信号のコンスタレーション上の位置は、信号点ＭＰ０と判定されていることになる。
【０１０１】
ｉ）  信頼性情報が“０１０”である場合
この場合は、信頼度情報が“１０”であるので、補正値が＋１であるものとして、Ｉ軸方向およびＱ軸方向のいずれに対してもデータの補正を行なう。
【０１０２】
このとき、補正を行う方向は、プレデマッピングにおけるずれの方向と一致するものとする。つまり、この場合は、Ｉ軸方向およびＱ軸方向とも、＋方向に補正を行う。
【０１０３】
したがって、この場合は、基準点“００１１１１”に対して、Ｉ軸方向のずれが＋３（＝＋２＋１）であり、Ｑ軸方向のずれが＋２（＝＋１＋１）であるものとしてプレデマッピングデータを補正する。この補正の結果、補正後の信号は、信号点ＭＰ１となる。
【０１０４】
ii）  信頼性情報が“００１”である場合
この場合は、信頼度情報が“０１”であって、その補正値は絶対値が＋２である。
【０１０５】
したがって、この場合は、基準点“００１１１１”に対して、Ｉ軸方向のずれは＋４（＝＋２＋２）であり、Ｑ軸方向のずれは＋３（＝＋１＋２）に補正され、信号点ＭＰ２に補正されることになる。しかしながら、ずれの絶対値が４以上となって、基準点“００１１１１”よりも、むしろ隣りの基準点“０００１１１”により近い値に補正されてしまうことになり、データとしての妥当性が失われる。したがって、このようにずれの絶対値が４以上となって、隣の基準点の方にむしろ近づいてしまった場合は、このデータは消失データとして扱うことにする。
【０１０６】
図１２は、信頼性判定・補正部２９において補正処理を行なう他の場合を説明するための図である。
【０１０７】
図１１で説明したとおり、信頼性による補正を行なう場合は、プレデマッピングデータのずれの方向に対して信頼性情報により示される絶対値をさらに加算することによって補正を行なう。
【０１０８】
ところが図１２に示すように、プレデマッピングデータのＩ軸およびＱ軸のいずれか一方でもずれの値が０であって、補正値が０ではない場合、いずれの方向に補正をかけるのかが不定となってしまう。
【０１０９】
たとえば、図１２に示すように、受信データに対して最も近い基準点が“００１１１１”と判定されており、プレデマッピング処理により、Ｉ方向のずれが±０であり、Ｑ方向のずれが＋２と判定されているものとする。
【０１１０】
このときに、信頼性情報が“０１０”であるとすると、信頼度情報が“１０”であるので、補正値は＋１である。Ｑ軸方向については、ずれが＋３であるものとして補正を行えばよいが、Ｉ軸方向に対してはいずれの方向に補正を行うかは、不定となってしまう。
【０１１１】
このような補正方向が不定となることに対する対処として、信頼性判定・補正部２９は、以下のような処理を行うものとする。
【０１１２】
まず、プレデマッピングのずれの絶対値が０であるとき、プレデマッピングの結果において、基準値からのＩ軸およびＱ軸の各軸方向のずれを表わす３ビットのビットデータは“０００”または“１００”のいずれでも表わされ得る。
【０１１３】
そこで、信頼性判定・補正部２９は、信頼性による補正処理において、補正前のずれの絶対値が０で、かつ補正後のずれも絶対値０であるときは、この３ビットを“０００”と設定する。一方、補正前の絶対値は０であるが、１以上の補正をしなければならず、ずれの方向が不定になるときには“１００”と設定することにする。以上のように信頼性判定・補正部２９は、プレデマッピングデータのうち、Ｉ軸方向のずれまたはＱ軸方向のずれを表わす各３ビットのデータを、信頼性に基づく補正処理に関する情報を含むように表現し直すものとする。
【０１１４】
さらに、上述したとおり、補正の方向が不定となる場合が存在することに対応して、信頼性判定・補正部２９は、新たに信頼性に関する情報として２ビットを用意し、Ｉ軸またはＱ軸のいずれかのずれの方向が不定になる場合は、この２ビットのデータで補正の絶対値を表現し、それ以外の場合は消失判定情報をこの２ビットで表現することにする。
【０１１５】
図１３は、このように新たに付加される信頼性に関する情報を示す図である。すなわち、Ｉ軸およびＱ軸のいずれもずれの値が“１００”とはならない場合は、信頼性に関する情報の２ビットが“１１”、“１０”、“０１”のいずれの場合も、対応するプレデマッピングデータが消失処理の対象となるデータでないことを表わし、新たに付加される信頼性に関する情報の２ビットが“００”である場合は、対応するプレデマッピングデータが消失処理の対象であることを示す。
【０１１６】
同様に、Ｉ軸またはＱ軸のいずれか一方でもそのずれが絶対値は０だが１以上の補正をしなければならず、ずれの方向自体が不定であることを示す“１００”である場合は、新たに付加される信頼性に関する２ビットの情報が“１１”、“１０”、“０１”がそれぞれ、補正値が＋３、＋２および＋１であることを示しているものとする。
【０１１７】
また、Ｉ軸およびＱ軸のいずれか一方でもずれが“１００”である場合であって、新たに付加される信頼性に関する情報が“００”である場合は、対応するプレデマッピングデータが消失処理の対象であることを示すものとする。
【０１１８】
以上のようなデータ変換処理を信頼性判定・補正部２９で行なうことで、ずれの方向が不定となる場合も含めて、プレデマッピングのデータの情報と、信頼性情報の情報量を減らすことなく、時間デインタリーブ回路１７に入力するデータのビット幅を１５ビットから１４ビットに減らすことができる。
【０１１９】
図１４は、図１０から図１３で説明した信頼性判定・補正部２９の内部構成を説明するための概略ブロック図である。
【０１２０】
図１３を参照して、信頼性判定・補正部２９は、プレデマッピング回路２６からの１２ビットのプレデマッピングデータと、信頼性検出部２８において付加されている３ビットの信頼性情報のうち最上位ビットの消失判定情報に基づいて、当該プレデマッピングデータが消失処理の対象となるデータであるか否かを判定するための信頼性判定処理部２９２と、信頼性判定処理部２９２から出力される１２ビットのプレデマッピングデータおよび１ビットの消失判定情報と、信頼性検出部２８において付加された２ビットの信頼度情報に基づいて、図１１および図１２で説明した補正処理を行なうための信頼性補正処理部２９４と、信頼性補正処理部２９４からの１２ビットの補正後のプレデマッピングデータと、図１２で説明したように信頼性補正処理部２９４においてずれの方向が不定となるような例外処理が発生するか否かに応じて変更された信頼性情報とを受けて、補正例外処理を行なうための補正例外処理部２９６とを備える。
【０１２１】
すなわち、信頼性補正処理部２９４は、図１１において説明したとおり、ずれの方向が不定でなく、かつ補正後の信号点が消失扱いとなる範囲にまでずれない場合には、１２ビットのプレデマッピングデータのうち、補正前のＩ軸方向のずれおよび補正前のＱ軸方向のずれに対して、信頼性情報に基づいて補正処理を行なった結果を出力する。信頼性補正処理部２９４は、ずれの方向が不定でないものの、補正後の信号点が消失扱いとなる範囲にまでずれてしまう場合には、消失判定情報を消失を指定する値に変更して出力する。
【０１２２】
一方、信頼性補正処理部２９４は、図１２で説明したとおり、補正前のずれを表わす絶対値は０であるものの、信頼性情報に基づいて１以上の補正をしなければならず、結果としてずれの方向が不定となった場合には、Ｉ軸またはＱ軸方向のうち不定となった軸方向については、ずれを表わす３ビットを“１００”と設定し直す。これに対して、信頼性補正処理部２９４は、信頼性による補正処理において補正前のずれは絶対値が０であって、かつ補正後のずれの絶対値も０であるときはＩ軸またはＱ軸方向のずれの値を“０００”とする。
【０１２３】
補正例外処理部２９６は、このような信頼性補正処理部２９４からの出力を受けて、図１２および図１３において説明したような新たに付加する信頼性に関する２ビットの情報を補正後のプレデマッピングデータに付加して出力する。
【０１２４】
以上のような処理により、信頼性判定・補正部２９は、原則として、信頼性検出部２８で検出された信頼性に関する情報を、プレデマッピングデータのうちの基準点からのずれを表すデータの中に含めるように変換する。
【０１２５】
ただし、信頼性判定・補正部２９は、同時に、このような信頼性に関する情報を、プレデマッピングデータのうちの基準点からのずれを表すデータの中に含める処理において、例外となる以下の処理については、それに応じた変換結果を時間デインターリーブ回路１７に出力する。
【０１２６】
例外処理１）このような信頼性に関する情報を、プレデマッピングデータのうちの基準点からのずれを表すデータの中に含める補正処理において、補正の結果、プレデマッピングデータとして割当てられている基準点よりも、隣接する他の基準点に近づいてしまった場合は、信頼性補正処理部２９４は、信頼性情報のうちの消失判定情報において当該データの消失を指定する。
【０１２７】
例外処理２）補正するべきずれの方向が不定となってしまった場合には、補正例外処理部２９６は、プレデマッピングデータのうちの基準点からのずれを表すデータのうち、不定となった軸方向のデータは、不定となったことを示すデータ（”１００”）と変更する。このときは、信頼性検出部２８からの信頼性情報に代えて新たに付加する補正後の信頼性に関する２ビットの情報（「補正後信頼性情報」）で、補正値の絶対値を表現する。
【０１２８】
この補正後信頼性情報は、補正の方向が不定とならない場合および不定となる場合のいずれにおいても、所定の値（”００”）により当該データが消失処理の対象となることを指定する。
【０１２９】
消失処理が指定されているデータについては、後のビタビ復号処理においては、ビタビ復号の処理対象とされない。消失判定されるような大きな誤りを持つキャリアをビタビ復号するよりも、ビタビ復号処理の対象としない方が、全体としては良好な画像等の再生特性が実現できるからである。
【０１３０】
このような処理とすることで、プレデマッピングのデータの情報と、信頼性情報の情報量を減らすことなく、時間デインタリーブ回路１７に入力するデータのビット幅を減少させることが可能となる。
【０１３１】
［実施の形態２］
上述した実施の形態１の構成においては、信頼性判定・補正部２９において、１２ビットのプレデマッピングデータと３ビットの信頼性情報とに基づいて、信頼性判定・補正部２９が、１２ビットの補正後プレデマッピングデータと新たな２ビットの信頼性情報との合計１４ビットのデータを時間デインタリーブ回路１７に与える構成であった。
【０１３２】
これに対して、上述したように信頼性検出部２８で付加される信頼性情報が２ビットの信頼度情報と消失処理を指定する１ビットの合計３ビットのデータである場合に、信頼性補正処理において、補正の方向が不定となる例外処理が発生したときには、その部分については補正処理を行なわない構成とすることも可能である。この場合でも、補正の方向が不定となるという例外処理が発生しないときは、図１１で説明したような補正処理を行なうものとする。
【０１３３】
この結果、信頼性判定・補正部２９からは、消失処理を行なうか否かを示す消失判定情報の１ビットの信頼性情報信号のみを出力する構成とすることも可能である。
【０１３４】
図１５は、このような実施の形態１の信頼性判定・補正部２９の代わりに用いることが可能な、実施の形態２の信頼性判定・補正部２９の構成を説明するための概略ブロック図である。
【０１３５】
図１４に示した構成と異なる点は、上述したように、信頼性補正処理部２９４が、例外処理のうち補正する方向が不定となるという例外処理以外において補正処理を行なった１２ビットの補正後プレデマッピングデータと、消失処理を行なうか否かの判定結果の１ビットのデータの合計１３ビットのデータを、時間デインタリーブ回路１７に直接出力する構成となっていることである。
【０１３６】
したがって、図１５に示した実施の形態２の信頼性判定・補正部２９の構成では、補正例外処理部２９６を省略することができるので、より回路構成を簡略化できるという利点がある。
【０１３７】
［実施の形態３］
図１６は、６４ＱＡＭにおいて、コンスタレーション上の基準点およびその基準点からのずれを示す点、すなわちプレデマッピングデータの分布を示す図である。
【０１３８】
プレデマッピングデータは、コンスタレーション上の点でいうと、点数が最大になる６４ＱＡＭのときで、図１６に示すように３１３６点となる。
【０１３９】
これは、６４ＱＡＭでは、基準点が、８×８＝６４個存在し、各基準点について、図５に示したとおり、ずれを示す点が、Ｉ軸方向については、−３〜＋３までの７点、Ｑ軸方向についても、−３〜＋３までの７点で、合計７×７＝４９個存在するために、全体としては、総計４９×６４＝３１３６個のプレデマッピングデータが存在することになる。
【０１４０】
図１７は、このようなプレデマッピングデータに対する番号の割当てを示す概念図である。
【０１４１】
図１６に示したプレデマッピングデータに対して、コンスタレーション上のＩ軸、Ｑ軸の値が最小値の点から最大値の点まで、番号を割当てていく。
【０１４２】
割当てた数字の最大値３１３５は、１２ビットのビット幅で表わせる。また、１２ビットであれば、０〜４０９５までの値を表わすことができるので、プレデマッピング結果として使用しない値の３１３６〜４０９５のいずれかを消失が確定したときに割当てる値と決めておく。
【０１４３】
このようなルールで補正後のプレデマッピングデータをデータ変換すると、出力される補正後のプレデマッピングデータ１２ビットと消失判定情報１ビットの計１３ビットで表わしていたデータを、情報量を減らすことなく計１２ビットのデータとして表わすことができる。
【０１４４】
ただし、このようなデータ変換を行なった場合、ビット変換回路２７では、この変換の逆変換をデータに施したビット変換を行なって、ビットデインターリーブ回路１９に出力する。
【０１４５】
図１８は、実施の形態１の図１０で示したデジタル信号受信装置４０００の構成において、図１７で説明したようなプレデマッピングデータの変換処理を行う信頼性判定・補正部２９の構成を説明するための概略ブロック図である。
【０１４６】
図１８においても、信頼性検出部２８からの信頼性情報は、信頼度情報２ビットと消失判定情報１ビットを含む３ビットからなる。
【０１４７】
図１８に示した信頼性判定・補正部２９の信頼性補正処理部２９４´は、信頼性補正処理を行なう際に補正方向が不定となるような例外が発生したときには補正処理を一切行なわない。一方、このような例外処理が発生しないときには図１１で説明したような補正処理を行なって、補正後の１２ビットのプレデマッピングデータと、１ビットの消失判定情報のみを出力する。
【０１４８】
プレデマッピングデータ変換処理部２９８は、このような消失判定情報に基づいて、プレデマッピングデータを、図１７で説明したように、個々のプレデマッピングデータまたは消失判定情報と対応付けられている番号に変換することにより、信頼性情報を含む補正後プレデマッピングデータに変換する。
【０１４９】
このようなプレデマッピングデータ変換処理部２９８の出力に対して、時間デインタリーブ回路１７が時間デインタリーブ処理を行なった後に、ビット変換回路２７において、図１７で説明した処理の逆変換をすることとすればよい。
【０１５０】
このような構成とすることで、時間デインターリーブ処理の対象となるデータのビット幅を低減し、処理に必要となるメモリ容量を低減することが可能である。
【０１５１】
［実施の形態４］
図１９は、図１０に示した信頼性判定・補正部２９の他の構成である実施の形態４の構成を示す概略ブロック図である。
【０１５２】
図１９に示した構成においては、信頼性検出部２８において付加される信頼性情報が消失判定情報の１ビットのみである場合の構成を示している。
【０１５３】
この場合は、信頼性判定・補正部２９においては、信頼性補正処理は行なわず、消失判定情報をプレデマッピングデータに含めることとする。
【０１５４】
すなわち、信頼性判定・補正部２９のプレデマッピングデータ変換処理部２９８は、信頼性判定処理部２９２からの出力を受けて、図１８に示したのと同様に、１ビットの消失判定情報に基づいて、個々のプレデマッピングデータまたは消失判定情報と対応付けられている番号にプレデマッピングデータを変換することにより、信頼性情報を含む補正後プレデマッピングデータに変換する。すなわち、信頼性判定・補正部２９は、信頼性情報を１２ビットのプレデマッピングデータ中に含ませた上で、時間デインタリーブ回路１７に与える。
【０１５５】
以上のような構成によっても、時間デインターリーブ処理の対象となるデータのビット幅を低減し、処理に必要となるメモリ容量を低減することが可能である。
【０１５６】
［実施の形態５］
図２０は、実施の形態５のデジタル信号受信装置５０００の構成を説明する概略ブロック図である。
【０１５７】
図１０に示した実施の形態１のデジタル信号受信装置４０００においては、信頼性検出部２８は、信頼性情報をＳＰ信号のレベルから検出する構成であったが、図２０においては、図９に示したデジタル信号受信装置３０００の構成と同様に、信頼性検出部２８は、プレデマッピング回路２６からの出力を受けて、プレデマッピングされたデータと基準値とのずれの大きさの分散に基づいて信頼性を判定し、信頼性情報をプレデマッピングデータに付加する。
【０１５８】
図２０の構成においては、信頼性判定・補正部２９は、このようにして信頼性検出部２８によって信頼性情報が付加されたプレデマッピングデータを受取って、実施の形態１の図１４で説明したのと同様の処理を行なって、補正されたプレデマッピングデータを時間デインタリーブ回路１７に対して与える。
【０１５９】
その他の構成は、図９に示したデジタル信号受信装置３０００の構成と同様であるので、同一部分には同一符号を付してその説明は繰返さない。
【０１６０】
このような構成によっても、時間デインターリーブ処理の対象となるデータのビット幅を低減し、処理に必要となるメモリ容量を低減することが可能である。
【０１６１】
さらに、図２０に示した実施の形態５のデジタル信号受信装置５０００の構成において、信頼性判定・補正部２９として、実施の形態２の図１５で説明した構成や、実施の形態３の図１８で説明した構成や、実施の形態４の図１９で説明した構成を用いることも可能である。
【０１６２】
図２１は、以上説明したとおり、実施の形態１から実施の形態５の各々において、信頼性情報のビット数、信頼性判定・補正処理の方法、およびビット幅の減少量を一覧として示す図である。
【０１６３】
図２１において、パターン１−１とは、実施の形態１のデジタル信号受信装置４０００の構成に対応する処理を示し、パターン１−２〜パターン１−４は、実施の形態２〜実施の形態４にそれぞれ対応している。
【０１６４】
パターン２−１とは、図２０に示した実施の形態５のデジタル信号受信装置５０００の構成において、信頼性判定・補正部２９が、図１４に示した構成を有する場合に対応し、パターン２−２とは、デジタル信号受信装置５０００中の信頼性判定・補正部２９が図１５に示した構成を有する場合であり、パターン２−３とは、デジタル信号受信装置５０００中の信頼性判定・補正部２９が図１８に示す構成を有する場合であり、パターン２−４とは、デジタル信号受信装置５０００中の信頼性判定・補正部２９が、図１９に示した構成を有する場合である。
【０１６５】
いずれの場合も、信頼性判定・補正部２９を設ける前に比べて、時間デインタリーブ回路１７に入力されるビット幅を減少させることが可能である。
【０１６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１６７】
【発明の効果】
以上説明したとおり、本発明によるデジタル信号受信装置では、ＯＦＤＭ方式で変調されたデータを受信、復調する受信機であって、信頼性情報信号を用いてビタビ復号を行なう場合に、時間デインタリーブ処理において使用するメモリ量を削減することが可能となる。
【図面の簡単な説明】
【図１】  プレデマッピング処理を行なうデジタル信号受信装置１０００の構成を説明するための概略ブロック図である。
【図２】  ＯＦＤＭフレーム内のＳＰ信号の分布の例を示す図である。
【図３】  周波数デインタリーブ回路１６でのデマッピング基準値の算出手続を説明するための図である。
【図４】  プレデマッピングの手続を説明するための概念図である。
【図５】  基準点から見たデータまでのＩ軸、Ｑ軸方向それぞれのずれの方向と距離を求める手続を説明するための図である。
【図６】  ビット変換処理について説明するための図である。
【図７】  信頼性情報を付加することが可能なデジタル放送受信装置２０００の構成を説明するための概略ブロック図である。
【図８】  付加される信頼性情報信号の内容を説明するための図である。
【図９】  信頼性情報を付加する他の構成を有するデジタル信号受信装置３０００の構成を説明するための概略ブロック図である。
【図１０】  本発明の実施の形態１のデジタル信号受信装置４０００の構成を説明するための概略ブロック図である。
【図１１】  信頼性判定・補正部２９が行なう処理をさらに詳しく説明するための図である。
【図１２】  信頼性判定・補正部２９において補正処理を行なう他の場合を説明するための図である。
【図１３】  新たに設けられる信頼性に関する情報を示す図である。
【図１４】  信頼性判定・補正部２９の内部構成を説明するための概略ブロック図である。
【図１５】  実施の形態２の信頼性判定・補正部２９の構成を説明するための概略ブロック図である。
【図１６】  プレデマッピングデータの分布を示す図である。
【図１７】  プレデマッピングデータに対する番号の割当てを示す概念図である。
【図１８】  デジタル信号受信装置４０００の構成における信頼性判定・補正部２９の構成を説明するための概略ブロック図である。
【図１９】  図１０に示した信頼性判定・補正部２９の他の構成である実施の形態４の構成を示す概略ブロック図である。
【図２０】  実施の形態５のデジタル信号受信装置５０００の構成を説明する概略ブロック図である。
【図２１】  信頼性情報のビット数、信頼性判定・補正処理の方法、およびビット幅の減少量を一覧として示す図である。
【図２２】  地上波デジタル放送受信機で受信するＯＦＤＭ方式のデータの構造を説明するための概念図である。
【図２３】  ＯＦＤＭシンボルの構成を示す図である。
【図２４】  １ＯＦＤＭセグメントの構成をより詳しく説明するための図である。
【図２５】  １つのＯＦＤＭセグメントの構成のモード依存性を説明するための図である。
【図２６】  従来のＯＦＤＭ方式の受信装置８０００の構成を示す概略ブロック図である。
【符号の説明】
１１  チューナ部、１２  Ａ／Ｄ変換部、１３  同期部、１４  ＦＦＴ部、１５  復調部、１６  周波数デインターリーブ部、１７  時間デインターリーブ処理部、２７  ビット変換部、１９  ビットデインターリーブ処理部、２０  ビタビ復号部、２１  バイトデインターリーブ処理部、２２  エネルギ逆拡散部、２３  ＲＳ復号部、２４  ＭＰＥＧデコード部、２５  Ｄ／Ａ変換部、２６  プレデマッピング処理部、２８  信頼性検出部、２９  信頼性判定・補正部、２９２信頼性判定処理部、２９４，２９４´  信頼性補正処理部、２９６  補正例外処理部、２９８  プレデマッピングデータ変換処理部、１０００，２０００，３０００，４０００，５０００，８０００  デジタル信号受信装置。
【図１】
0003942392.tif 000003
【図２】
0003942392.tif 000004
【図３】
0003942392.tif 000005
【図４】
0003942392.tif 000006
【図５】
0003942392.tif 000007
【図６】
0003942392.tif 000008
【図７】
0003942392.tif 000009
【図８】
0003942392.tif 000010
【図９】
0003942392.tif 000011
【図１０】
0003942392.tif 000012
【図１１】
0003942392.tif 000013
【図１２】
0003942392.tif 000014
【図１３】
0003942392.tif 000015
【図１４】
0003942392.tif 000016
【図１５】
0003942392.tif 000017
【図１６】
0003942392.tif 000018
【図１７】
0003942392.tif 000019
【図１８】
0003942392.tif 000020
【図１９】
0003942392.tif 000021
【図２０】
0003942392.tif 000022
【図２１】
0003942392.tif 000023
【図２２】
0003942392.tif 000024
【図２３】
0003942392.tif 000025
【図２４】
0003942392.tif 000026
【図２５】
0003942392.tif 000027
【図２６】
0003942392.tif 000028